(57)【要約】【課題】熱応答性能を低下させることなく、デザイン性を高めることができる熱式火災警報器を提供する。【解決手段】熱式火災警報器１は、箱形の本体１０と、本体１０の一面１１と間隔をあけて配設された整流板３０と、本体１０の一面１１から整流板３０に向かって突設された火災の熱を検知する熱式センサ２５と、を有し、そして、整流板３０の周縁の少なくとも一部が、本体１０の一面１１における平面視形状の周縁より内側に位置づけられている。【選択図】図２
2009301395.tif 000002
【特許請求の範囲】
【請求項１】
箱形の本体と、前記本体の一面と間隔をあけて配設された整流板と、前記本体の前記一面から前記整流板に向かって突設された火災の熱を検知する熱式センサと、を有する熱式火災警報器であって、
平面視において、前記整流板の周縁の少なくとも一部が、前記本体の前記一面の周縁より内側に配置されていることを特徴とする熱式火災警報器。
【請求項２】
平面視において、前記整流板の周縁の前記一部と前記熱式センサを挟んで対向する前記整流板の周縁の他の一部が、前記本体の前記一面の周縁の一部と重なるように配置されていることを特徴とする請求項１に記載の熱式火災警報器。
【請求項３】
平面視において、前記整流板の周縁の前記一部と前記熱式センサを挟んで対向する前記整流板の周縁の前記他の一部が、前記本体の前記一面の周縁より外側に配置されていることを特徴とする請求項１に記載の熱式火災警報器。
【請求項４】
前記整流板の周縁の前記一部に切り欠きが設けられていることを特徴とする請求項１から３のいずれか一項に記載の熱式火災警報器。
【発明の詳細な説明】
【技術分野】
【０００１】
本発明は、住宅などの屋内等に設置され、その屋内等において火災が発生したときに、その熱を検出して火災警報を行う熱式火災警報器に関するものである。
【背景技術】
【０００２】
上述した熱式火災警報器は、それが設置された空間の雰囲気の温度を、サーミスタなどの熱検知素子によって測定し、その測定した雰囲気の温度の高低に基づいて、その設置空間における火災の発生の有無を検出するものであり、例えば、特許文献１において、このような熱式火災警報器が提案されている。
【０００３】
図６、図７に特許文献１において提案されている熱式火災警報器４００を示す。図６において、４１０は熱式火災警報器４００の本体である。本体４１０とこれに係合されたカバー４２０とによって熱式火災警報器４００のケースが構成されている。カバー４２０の上面にはプロテクタ４３０が係止されている。このプロテクタ４３０は、図７に示すように、中心部側が高くなった環状壁４３１と、環状壁４３１の内周縁から斜め上方に延びた８本の細い支柱４３２と、これら支柱４３２の先端が外周縁に接続されたリング４３３と、このリング４３３の内周縁より中心部側に水平に延びた４本の突柱４３４と、から構成されている。
【０００４】
本体４１０とカバー４２０とで構成されるケース内には、サーミスタ等の半導体式の感熱素子（即ち、熱式センサ）４６０が実装されたプリント基板４４０が設けられている。また、プリント基板４４０上には感熱素子４６０を支持する素子支持台４５０が、カバー４２０を貫通するようにして設けられている。この素子支持台４５０によって、感熱素子４６０のリード線４６２ａ、４６２ｂがプリント基板４４０から立ち上がるように支持されるとともに、感熱素子４６０の感熱部４６１がカバー４２０とプロテクタ４３０に囲まれた空気流通空間Ｋに位置づけられている。
【０００５】
本体４１０の下面には、４個の刃金具４７２が設けられ、これら刃金具４７２とプリント基板４４０とは４本のねじ４７０によって本体４１０に固定されている。そして、この熱式火災警報器４００は、図示しない壁面等にねじによって固定されるベース４８０に設けられた刃受金具４８１に、この刃金具４７２を回転して結合することによってベース４８０に固定される。刃受金具４８１には電源兼信号線が接続されている。
【０００６】
この熱式火災警報器４００によれば、ねじ４７０及び刃金具４７２を介して、プリント基板４４０を、電源兼信号線が接続された刃受金具４８１に電気的に接続できるので、半田付けが不要となり、容易に組み立てることができた。
【０００７】
しかしながら、上述した熱式火災警報器４００は、プロテクタ４３０に囲まれた空気流通空間Ｋに位置づけられている感熱素子４６０が使用者から見えてしまう等、外観が機械的であるので、この熱式火災警報器４００が設置された屋内等のインテリアと調和がとれない等、美観を損ねてしまうという問題があった。
【０００８】
そこで、本発明者らは、感熱素子（即ち、熱式センサ）を保護するプロテクタの形状に着目して鋭意検討した結果、以下に示す熱式火災警報器を思いつくに至った。
【０００９】
図８に示す熱式火災警報器５００は、箱形の本体５１０と、本体５１０の表面５１１から立設された複数の取付用ボス５１２の先端に取り付けられて、この本体の表面５１１と間隔をあけて配設された整流板５３０と、本体の表面５１１から整流板５３０に向かって突設された火災の熱を検知する熱式センサ５２５と、を有している。この整流板５３０は、本体の表面５１１の平面視形状と同一に形成され、その下端５３０Ａが本体の表面５１１の下端５１１Ａと相対して位置づけられ、且つ、その上端５３０Ｂが本体の表面５１１の上端５１１Ｂと相対して位置づけられ、即ち、整流板５３０は本体の表面５１１全体を覆うように間隔をあけて重ねられている。また、整流板５３０は、本体の表面５１１との間に熱式センサ５２５へ雰囲気を導く整流路５１８を形成している。この整流路５１８によって、壁面に設置された熱式火災警報器５００に対して、下方若しくは上方から流れてきた雰囲気が、熱式センサ５２５へスムースに導かれる。
【００１０】
そして、熱式火災警報器５００は、この整流板５３０を備えているので、熱式センサ５２５を保護するとともに使用者から見えないように隠すことができ、さらに、整流板５３０の表面（即ち、本体の表面５１１に相対する面と反対の面）５３０Ｃに、この熱式火災警報器５００が取り付けられる壁面と同一の壁紙を貼付する等のデザインを施すことができ、そのため、熱式火災警報器５００をその周囲と調和させて美観を保つことができた。
【特許文献１】特開平８−２８７３７４号公報
【発明の開示】
【発明が解決しようとする課題】
【００１１】
しかしながら、火災時に発生する雰囲気の対流によって、図９に示すように、壁面に設置されたこの熱式火災警報器５００に対し、整流板５３０の表面５３０Ｃに直交して（即ち、図９の左側から右側に向かう方向）雰囲気が流れてくる場合があり、このとき、整流板５３０が本体の表面５１１全体を覆うように間隔をあけて重ねて設けられているので、雰囲気が、整流路５１８に進入することなく、本体５１０の側部を通過して壁面Ｗに向かって流れていってしまい、熱応答性能（即ち、熱感度）が低下して、火災の検出が遅れてしまうという問題があった。
【００１２】
本発明は、上記課題に係る問題を解決することを目的としている。即ち、本発明は、熱応答性能を低下させることなく、デザイン性を高めることができる熱式火災警報器を提供することを目的としている。
【課題を解決するための手段】
【００１３】
上記目的を達成するために、請求項１に記載された発明は、箱形の本体と、前記本体の一面と間隔をあけて配設された整流板と、前記本体の前記一面から前記整流板に向かって突設された火災の熱を検知する熱式センサと、を有する熱式火災警報器であって、平面視において、前記整流板の周縁の少なくとも一部が、前記本体の前記一面の周縁より内側に配置されていることを特徴とする熱式火災警報器である。
【００１４】
請求項２に記載された発明は、請求項１に記載された発明において、平面視において、前記整流板の周縁の前記一部と前記熱式センサを挟んで対向する前記整流板の周縁の他の一部が、前記本体の前記一面の周縁の一部と重なるように配置されていることを特徴とするものである。
【００１５】
請求項３に記載された発明は、請求項１に記載された発明において、平面視において、前記整流板の周縁の前記一部と前記熱式センサを挟んで対向する前記整流板の周縁の前記他の一部が、前記本体の前記一面の周縁より外側に配置されていることを特徴とするものである。
【００１６】
請求項４に記載された発明は、請求項１から３のいずれか一項に記載された発明において、前記整流板の周縁の前記一部に切り欠きが設けられていることを特徴とするものである。
【発明の効果】
【００１７】
請求項１に記載された発明によれば、整流板によって熱式センサを使用者から見えないように隠すことができ、さらに、この整流板の周縁の少なくとも一部が、本体の一面における平面視形状の周縁より内側に配置されているので、整流板の表面に対して直交する方向から流れてくる雰囲気を本体の一面に直接当てることができ、そして、本体の一面に沿って熱式センサまで導くことができる。また、雰囲気が本体の一面に当たることにより雰囲気の流速が低下し、整流板の対向する一対の端部（即ち、周縁の一部及び周縁の他の一部）それぞれの近傍を流れる雰囲気の流速に差異が生じるので、流速の遅い雰囲気が流速の速い雰囲気に引き込まれて、整流板と本体の一面との間に、整流板の一端部から他端部に向かう流れを生じさせることができ、そのため、雰囲気を熱式センサに積極的に導くことができる。したがって、熱応答性能を低下させることなく、デザイン性を高めることができる。
【００１８】
請求項２、３に記載された発明によれば、平面視において、本体の一面における平面視形状の周縁より内側に配置された整流板の周縁の一部と熱式センサを挟んで対向する整流板の他の一部が、本体の一面の周縁の一部と重なるように若しくは本体の一面の周縁より外側に位置づけられているので、整流板の周縁の他の一部近傍の雰囲気を、本体の一面に当てることなく火災警報器の側部を通過するように流すことができ、そのため、整流板の対向する一対の端部（即ち、周縁の一部及び周縁の他の一部）それぞれの近傍を流れる雰囲気の流速により大きな差異を生じさせることができ、したがって、雰囲気を熱式センサにより積極に導くことができる。
【００１９】
請求項４に記載された発明によれば、本体の一面における平面視形状の周縁より内側に配置された整流板の周縁の一部に切り欠きが設けられているので、本体の一面と整流板との平面視形状をより変化させる（異ならせる）ことができ、そのため、整流板の対向する一対の端部（即ち、周縁の一部及び周縁の他の一部）それぞれの近傍を流れる雰囲気の流速により大きな差異が生じて、雰囲気を熱式センサにより積極的に導くことができる。また、警報を通知するＬＥＤやブザーをその切り欠きと相対する本体の一面の箇所に配置することで、整流板がそれらを覆うことがなくなるので、ＬＥＤの視認性を向上させ、また、ブザーの音圧を高めて放音効率を向上させることができる。
【発明を実施するための最良の形態】
【００２０】
以下、本発明の一実施形態を示す熱式火災警報器を、図１〜図３を参照して説明する。
【００２１】
熱式火災警報器１（以下、警報器１）は、図１に示すように、本体１０と、熱式センサ２５と、整流板３０と、センサハウジング４０と、を備えている。
【００２２】
本体１０は、例えば、合成樹脂を材料として平面視略矩形状の中空箱形に形成されており、図２に示すように、カバー１０ａと、ベース１０ｂと、によって前後二分割できるように構成されている。なお、本実施形態においては、本体が平面視略矩形状の箱形に形成されているものであったが、本発明における箱形とは、この形状に限定するものではなく、例えば、平面視楕円形状や多角形状など、内部に警報器に必要な部材を収容できる箱形であり、本発明の目的に反しないものであればその形状は任意である。
【００２３】
図２に示すように、カバー１０ａは、縦断面（即ち、図１のＸ−Ｘ線に沿う方向の断面）が弧となるように、その表面１１が滑らかな曲面状に形成されている。ベース１０ｂは、縦断面が略コの字形状で、警報器１を屋内の壁面に安定して取り付けられるように、その裏面１６が平面状に形成されている。カバー１０ａとベース１０ｂとは、例えば、図示しないタップねじ及び該タップねじが螺合される固定用ボスなどの固定手段によって、互いが組み合わされた状態で固定される。
【００２４】
カバー１０ａの表面（即ち、本体１０の表面）１１は、その上下方向における中央近傍が本体１０の外方向に向かって凸の曲面となるように形成され、この曲面の下端から表面１１の下端１１Ａにかけて、徐々に裏面１６に近づく方向になだらかに湾曲傾斜して形成され、さらに、この曲面の上端から表面１１の上端１１Ｂにかけて、徐々に裏面１６に近づく方向になだらかに湾曲傾斜して形成されている。本体１０の表面１１は、下端１１Ａから上端１１Ｂにわたって継ぎ目なく滑らかに形成されている。表面１１には、整流板３０を支持する４つの取付用ボス１２が互いに間隔をあけて垂直に立設されている。本体１０の表面１１は、特許請求の範囲に記載した本体の一面に相当する。
【００２５】
本体１０の内部には、センサ基板１３とメイン基板１４とが、本体１０内面に突出して設けられた複数のリブ１５によってそれぞれ固定されている。
【００２６】
センサ基板１３は、本体１０の表面１１直下に平行に配設されている。センサ基板１３におけるカバー１０ａ側の実装面には、熱式センサ２５が該実装面に対して垂直に立設されている。
【００２７】
熱式センサ２５は、例えば、サーミスタなどの熱検知素子を備え、この熱検知素子が検知した温度によってその出力電圧が変化する、周知の電子部品である。熱式センサ２５は、本体１０の表面１１の中央近傍に設けられた図示しない貫通孔から、熱式センサ２５の先端２５ａが外方向に突出するように、センサ基板１３に実装されている。
【００２８】
メイン基板１４は、本体１０内部の中央付近にセンサ基板１３と間隔をあけて平行に配設されている。メイン基板１４には、熱式センサ２５の周辺回路を構成する電子部品、熱式センサ２５の出力を受信して火災発生を判断するとともに火災警報の制御を行うマイクロコンピュータなどが実装されている。また、メイン基板１４には、後述する警報ランプ５１、警報停止ボタン５２、及び、警報ブザー５３、それぞれを構成する図示しない電子部品が、本体１０の表面１１の下部に対応する箇所に実装されている。これら電子部品についても、上述したマイクロコンピュータに接続され、それら制御が行われる。
【００２９】
整流板３０は、本体１０の表面１１とともに整流路１８を形成して、熱式センサ２５まで雰囲気を導くとともにその流動を整えるための整流部材である。また、整流板３０は、その裏面（本体１０の表面１１に相対する面）３０Ｆ側に配置された熱式センサ２５を保護したり、その表面（本体１０の表面１１に相対する面とは反対の面）３０Ｅの面に装飾を施してデザイン性を向上させたりするものでもある。整流板３０は、デザイン性を考慮して開口のない平板状に形成されており、例えば、その外側の面に、警報器１が取り付けられる壁面と同じ模様が施されている。
【００３０】
整流板３０は、本体１０の表面１１と間隔をあけて平行になるように、取付用ボス１２の先端に不図示のねじ等からなる固定部材を用いて固定されている。なお、本発明における平行とは、厳密な意味での平行に加えて、２つの面（平面はもちろんのこと曲面も含まれる）が概ね等距離を保って位置づけられている状態を含む。整流板３０は、その下端３０Ａ（即ち、請求項中の整流板の周縁の一部）が、本体１０の表面１１の下端１１Ａ（即ち、請求項中の本体の一面の周縁）より上方に位置づけられており、その上端３０Ｂ（即ち、請求項中の整流板の周縁の他の一部）が、本体１０の表面１１の上端１１Ｂ（即ち、請求項中の本体の一面の周縁の一部）に相対して（即ち、平面視において重ねて）位置づけられている。また、整流板３０の両側側端３０Ｃ、３０Ｄが、それぞれ本体１０の表面１１の両側側端１０Ｃ、１０Ｄに概ね相対して位置づけられている。すなわち、整流板３０の周縁の一部が、本体１０の表面１１における平面視形状の周縁より内側に位置づけられており、整流板３０の周縁の他の一部が、平面視において、本体１１の表面１１の周縁の一部に重なるように位置づけられている。なお、この構成以外にも、整流板の上端３０Ｂが、本体１０の表面１１の上端１１Ｂより外側に位置づけられていても良い。また、このように整流板３０が配設されることによって、本体１０の表面１１には、整流板３０が間隔をあけて重ねられた第１部分１１２と、整流板３０が重ねられていない第２部分１１１と、が設けられることになる。
【００３１】
表示操作部５０は、警報器１の使用者に対して火災の検出状態を通知し、また、使用者による操作を入力するための部位であり、警報ランプ５１と、警報停止ボタン５２と、警報ブザー５３と、を備えている。これらの表示操作部５０を構成する部材は、本体１０の表面１１の下部に位置する第２部分１１１上に配設されている。
【００３２】
警報ランプ５１は、例えば、ＬＥＤなどの発光素子からなり、火災がないときは消灯し、火災発生を検出したときに作動（点灯又は点滅）し、警報器１の使用者に対して視覚的に火災を通知する通知手段である。警報ブザー５３は、例えば、大音量が出力可能な圧電ブザー等からなり、警報ランプ５１の作動に同期して警報音を鳴動し、警報器１の使用者に対して聴覚的に火災を通知する通知手段である。警報停止ボタン５２は、それが押下されることにより警報ランプ５１の作動及び警報ブザー５３の鳴動を停止するための、円形の押しボタンスイッチである。
【００３３】
次に、警報器１の概略動作の一例について、図３を参照して説明する。図３は、警報器１における雰囲気の流動を模式的に示した図である。
【００３４】
火災源によって熱せられた雰囲気は、壁面や天井面に沿って流れるので、警報器１は、火災を検出する空間の壁面Ｗや天井面等に取り付けられる。警報器１が壁面に設置された場合、警報器１は、主に図３中の矢印ａ、ｂの方向から流れてくる雰囲気を検知する。また、警報器１が天井面に設置された場合、警報器１は、上述の矢印ａ、ｂの方向から流れてくる雰囲気に加えて、火災源から上昇してくる雰囲気、即ち、図３の矢印ｃの方向から流れてくる雰囲気に対しても迅速に応答する必要がある。
【００３５】
壁面Ｗに取り付けた警報器１において、この警報器１に向かって整流板３０の表面３０Ｅに対して直交する方向（即ち、矢印ｃ方向）から雰囲気が流れてくると、その一部（以下、雰囲気Ｆ１）が整流板３０の表面３０Ｅに当たり、他の一部（以下、雰囲気Ｆ２）が本体１０の表面１１の第２部分１１１に当たる。また、警報器１に当たらずに壁面Ｗに向かう雰囲気（以下、雰囲気Ｆ３）もある。
【００３６】
そして、雰囲気Ｆ１は、整流板３０の表面３０Ｅに当たると、減速されて表面３０Ｅに沿って整流板３０の下端３０Ａ及び上端３０Ｂに向かい、雰囲気Ｆ２、Ｆ３と合流する。雰囲気Ｆ２は、本体１０の表面１１の第２部分１１１に当たると、減速されて表面１１に沿って流れ、雰囲気Ｆ２の一部である雰囲気Ｆ２１が整流路１８に流れ込み、熱式センサ２５に向かって導かれる。また、雰囲気Ｆ３は、減速されることなく整流板３０の上端３０Ｂの近傍を壁面Ｗに向かって流れ、そして、この雰囲気Ｆ３の流れによって、整流路１８内に流れ込んだ雰囲気Ｆ２１を、整流板の上端３０Ｂに向かって引っ張る力が生じ、そのため、雰囲気Ｆ２１が整流路１８から引き出されるとともに、新たな雰囲気Ｆ２１が整流路１８内に引き込まれ、熱式センサ２５に向かって導かれる。
【００３７】
そして、熱式センサ２５によって、雰囲気Ｆ２１の温度が所定の値を超えたことが検知されたとき、火災発生を示す警報ランプ５１を点灯すると同時に、警報ブザー５３を鳴動する。その後、警報停止ボタン５２が押下されると、警報ランプ５１を消灯し、警報ブザー５３の鳴動を停止する。なお、上述の概略動作例では、警報器１を壁面Ｗに取り付けた場合について説明するものであったが、警報器１を天井面に取り付けた場合でも同様の動作となる。
【００３８】
以上より、本発明によれば、整流板３０によって熱式センサ２５を使用者から見えないように隠すことができ、さらに、この整流板３０の下端３０Ａが、本体１０の表面１１の下端１１Ａより上方に位置づけられているので、整流板３０の表面３０Ｅに対して直交する方向から流れてくる雰囲気を本体１０の表面１１の第２部分１１１に直接当てることができ、そして、本体１０の表面１１に沿って熱式センサまで導くことができる。また、雰囲気が本体１０の表面１１の第２部分１１１に当たることにより雰囲気の流速が低下し、整流板３０における下端３０Ａ及び上端３０Ｂそれぞれの近傍における雰囲気の流速に差異が生じるので、流速の遅い雰囲気が流速の速い雰囲気に引き込まれて、整流板３０と本体１０の表面１１との間に設けられた整流路１８に、整流板３０の下端３０Ａから上端３０Ｂに向かう流れを生じさせることができ、そのため、雰囲気を熱式センサ２５に積極的に導くことができる。したがって、熱応答性能を低下させることなく、デザイン性を高めることができる。
【００３９】
また、平面視において、整流板３０の下端３０Ａとの間に熱式センサ２５を挟んで対向する整流板３０の上端３０Ｂが、本体１０の表面１１の上端１１Ｂと重なるように配置されているので、整流板３０の上端３０Ｂ近傍の雰囲気を、本体１０の表面１１に当てることなく警報器１の側部を通過するように流すことができ、そのため、整流板３０の対向する一対の端部（即ち、下端３０Ａ及び上端３０Ｂ）それぞれの近傍を流れる雰囲気の流速により大きな差異を生じさせることができ、したがって、雰囲気を熱式センサ２５により積極的に導くことができる。また、整流板３０の上端３０Ｂが、本体１０の表面１１の上端１１Ｂより外側に配置されていても、上記と同様の効果が得られる。
【００４０】
また、整流板３０を備えているので、熱式センサ２５への雰囲気の流入特性を向上させることができ、雰囲気を熱式センサ２５へ確実に導いて、火災の検出精度を高めることができる。また、整流板３０により熱式センサ２５を保護することができるので、衝撃などによる警報器２の故障を防ぐことができ、信頼性を向上させることができる。
【００４１】
なお、本実施形態においては、本体１０の表面１１が、滑らかに連続して設けられているものであったが、これに限らず、整流路１８に雰囲気を確実に導くことができる形状であれば、例えば、本体１０の表面１１が１枚の平面に形成されている、若しくは、本体１０の表面１１が、平面状の第１部分１１２と、この第１部分と所定の角度をなして連接された平面状の第２部分１１１とで形成されているなど、どのような形状であってもよい。
【００４２】
また、本実施形態において、警報器１は、平面視略矩形状の中空箱形に形成された本体１０と、その表面１１の下部に設けられた表示操作部５０以外の部分（即ち、第１部分１１２）を覆うように表面１１と間隔をあけて平行に設けられた整流板３０と、を有するものであったが、この形状に限らず、例えば、図４に示すように、平面視円形状の中空箱状に形成された本体２１０と、その表面２１１の中央部分を覆うように表面２１１と間隔をあけて平行に設けられ、その形状が表面２１１の平面視形状より小さく且つその周縁の一部に切り欠き２３０ａが設けられた整流板２３０と、を有する熱式火災警報器２であってもよい。熱式火災警報器２は、表面２１１から整流板２３０に向けて突出して設けられた図示しない熱式センサと、火災検知状態等を表示するＬＥＤ２５１と、を有している。また、熱式火災警報器２は、主に天井面に取り付けられる。
【００４３】
この熱式火災警報器２によれば、本体２１０の表面２１１における平面視形状の周縁より内側に配置された整流板２３０の周縁の一部に切り欠き２３０ａが設けられているので、本体２１０の表面２１１と整流板２３０との平面視形状をより変化させる（異ならせる）ことができ、そのため、整流板２３０の対向する一対の端部（即ち、切り欠き２３０ａ及び切り欠き２３０ａと相対する周縁２３０ｂ）それぞれの近傍を流れる雰囲気の流速により大きな差異が生じて、雰囲気を熱式センサにより積極的に導くことができる。また、火災検知状態や警報等を通知するＬＥＤ２５１やブザー等をその切り欠き２３０ａと相対する本体２１０の表面２１１の箇所に配置することで、整流板２３０がそれらを覆うことがなくなるので、ＬＥＤ２５１の視認性を向上させ、また、ブザーの音圧を高めて放音効率を向上させることができる。
【００４４】
本発明者らは、本発明の熱式火災警報器１、上述した従来の熱式火災警報器４００、及び、熱式火災警報器５００を用いて、熱応答性能（即ち、熱感度）について、測定を行った。
【００４５】
測定の構成は以下の通りである。上述の各熱式火災警報器を壁面に取り付け、この熱式火災警報器に向かって該壁面に対して直交する方向（即ち、図３の矢印ｃの方向）に流れる温度８１．２５℃、流速１ｍ／秒の雰囲気を当てて、熱式火災警報器が備える熱式センサが検知した温度と時間を測定した。この測定結果を図５のグラフに示す。
【００４６】
図５に示したグラフから、本発明の熱式火災警報器１（図中、本発明品（ａ））は、整流板を備えない従来の熱式火災警報器４００（図中、従来品１（ｂ））を若干上回る結果となった。これは、本発明の熱式火災警報器１は、上述したように本体１０の表面１１と整流板３０との形状により、雰囲気を整流路１８内に積極的に引き込むためと考えられる。また、整流板が本体の表面全体に間隔をあけて重ねて設けられた構成の従来の熱式火災警報器５００（図中、従来品２（ｃ））は、整流路内に雰囲気が流れ込みにくいため、熱応答性能が著しく劣ることが判った。この結果から、本発明の熱式火災警報器１は、整流板を備えない従来の熱式火災警報器と同等以上の熱応答性を有することが判った。
【００４７】
なお、光電式火災警報器において整流板を備える構成のものが知られているが、光電式火災警報器は、雰囲気に対し光を照射する発光素子及びこの発光素子による光を受光する受光素子を備えた光電式センサを用いて、受光素子の受光量の高低に基づいて火災の発生を検出するものであり、この光電式センサを収容するとともに雰囲気を流入させ且つ外部からの光を遮るハウジングを備えているので、光電式火災警報器はこのハウジングと整流板とによって光電式センサを十分に保護することができた。その一方で、熱式火災警報器は、外部の光を遮る必要がないので、上述した光電式火災警報器が備えるハウジングを有しておらず、また、正面からの熱応答性を考慮する必要があり、そのため、従来、整流板やハウジング等で熱式センサを保護することは困難であったが、本発明者らは鋭意調査を行い、本発明に係る構成において熱式センサを十分に保護できることが判った。
【００４８】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４９】
【図１】本発明の一実施形態を示す熱式火災警報器の正面図である。
【図２】図１のＸ−Ｘ線に沿う断面図である。
【図３】図１の熱式火災警報器における雰囲気の流動を模式的に示した図である。
【図４】本発明の他の実施形態を示す熱式火災警報器の正面図である。
【図５】熱式火災警報器の熱応答性能を示すグラフである。
【図６】従来の熱式火災警報器の断面図である。
【図７】図６の熱式火災警報器が備えるプロテクタの正面図である。
【図８】従来の他の熱式火災警報器の断面図である。
【図９】図８の熱式火災警報器における雰囲気の流動を模式的に示した図である。
【符号の説明】
【００５０】
１        熱式火災警報器
１０      本体
１１      表面（本体の一面）
１１１    第２部分
１１２    第１部分
１８      整流路
２５      熱式センサ
３０      整流板
５０      表示操作部
【図１】
2009301395.tif 000003
【図２】
2009301395.tif 000004
【図３】
2009301395.tif 000005
【図４】
2009301395.tif 000006
【図５】
2009301395.tif 000007
【図６】
2009301395.tif 000008
【図７】
2009301395.tif 000009
【図８】
2009301395.tif 000010
【図９】
2009301395.tif 000011